(57)【要約】【課題】  １６ビットイメージを実際のイメージに一層近く移動通信端末機に表示し得るイメージ変換装置及びその方法を提供する。【解決手段】  ２４ビットのカラーイメージを８ビットに構成された各Ｒ、Ｇ及びＢ値に分離するＲＧＢ分離部３１０と、それら分離された８ビットのＲ、Ｇ及びＢの各カラー値を計算して比重の大きいカラーを判別する比較部３２０と、該比重の大きいカラーに該当するカラービットを更に割当てるために８ビットのＲ、Ｇ及びＢを夫々シフトさせるシフト部３３０と、それらシフトされた各Ｒ、Ｇ及びＢを結合して１６ビットイメージを生成する結合部３４０と、該生成された１６ビットイメージを保存するビデオメモリ３５０と、を包含してイメージ変換装置を構成する。【選択図】  図１
2004194300.tif 000002
【特許請求の範囲】
【請求項１】
２４ビットのカラーイメージを８ビットに構成されたＲ、Ｇ及びＢ値に夫々分離するＲＧＢ分離部と、
それら分離された８ビットのＲ、Ｇ及びＢの各カラー値を計算して比重の大きいカラーを判別する比較部と、
前記比重の大きいカラーに該当するカラービットを更に割当てるために８ビットのＲ、Ｇ及びＢを夫々シフトさせるシフト部と、
それらシフトされた各Ｒ、Ｇ及びＢを結合して１６ビットイメージを生成する結合部と、
該生成された１６ビットイメージを保存するビデオメモリと、を包含して構成されることを特徴とするイメージ変換装置。
【請求項２】
前記シフト部は、
比重の大きいカラーに１ビットを更に割当てて６ビットを生成することを特徴とする請求項１項記載のイメージ変換装置。
【請求項３】
前記シフト部は、
比重が相対的に小さい二つのカラーに夫々５ビットずつ割当てることを特徴とする請求項１項記載のイメージ変換装置。
【請求項４】
前記シフト部は、
Ｒ値の比重が大きい場合、各８ビットのＲ、Ｇ及びＢが１６ビットのＲＧＢに変換された後、最後に残った１ビットにＲを割当てることを特徴とする請求項１項記載のイメージ変換装置。
【請求項５】
前記シフト部は、
８ビットのＲを右側に２ビットシフトした後左側に１０ビットシフトし、８ビットのＧを右側に３ビットシフトした後左側に５ビットシフトし、８ビットのＢを右側に３ビットシフトすることで、１６ビットのＲＧＢを組合せる過程を行うことを特徴とする請求項１項記載のイメージ変換装置。
【請求項６】
前記シフト部は、
前記１６ビットのＲＧＢを組合せる過程を行うことで、最終的に６：５：５の比率を有するＲＧＢイメージを生成することを特徴とする請求項１項記載のイメージ変換装置。
【請求項７】
前記シフト部は、
Ｇ値の比重が大きい場合、各８ビットのＲ、Ｇ及びＢが１６ビットのＲＧＢに変換された後、最後に残った１ビットにＧを割当てることを特徴とする請求項１項記載のイメージ変換装置。
【請求項８】
前記シフト部は、
８ビットのＲを右側に３ビットシフトした後左側に１１ビットシフトし、８ビットのＧを右側に２ビットシフトした後左側に５ビットシフトし、８ビットのＢを右側に３ビットシフトすることで、１６ビットのＲＧＢを組合せる過程を行うことを特徴とする請求項１項記載のイメージ変換装置。
【請求項９】
前記シフト部は、
前記１６ビットのＲＧＢを組合せる過程を行うことで、最終的に５：６：５の比率を有するＲＧＢイメージを生成することを特徴とする請求項１項記載のイメージ変換装置。
【請求項１０】
前記シフト部は、
Ｂ値の比重が大きい場合、各８ビットのＲ、Ｇ及びＢが１６ビットのＲＧＢに変換された後、最後に残った１ビットにＢを割当てることを特徴とする請求項１項記載のイメージ変換装置。
【請求項１１】
前記シフト部は、
８ビットのＲを右側に３ビットシフトした後左側に１１ビットシフトし、８ビットのＧを右側に３ビットシフトした後左側に６ビットシフトし、８ビットのＢを右側に２ビットシフトすることで、１６ビットのＲＧＢを組合せる過程を行うことを特徴とする請求項１項記載のイメージ変換装置。
【請求項１２】
前記シフト部は、
前記１６ビットのＲＧＢを組合せる過程を行うことで、最終的に５：５：６の比率を有するＲＧＢイメージを生成することを特徴とする請求項１項記載のイメージ変換装置。
【請求項１３】
イメージ変換方法であって、
カラーイメージから各Ｒ、Ｇ及びＢ要素を分離する第１段階と、
それらＲ、Ｇ及びＢ要素の各カラー値を計算した後、それらカラー値を比較して比重の大きいカラーを判別する第２段階と、
該判別された比重の大きいカラーに、他のカラーよりも多くビットを更に割当てる第３段階と、
それらビットが割当てられた各Ｒ、Ｇ及びＢを組合する第４段階と、を順次行うことを特徴とするイメージ変換方法。
【請求項１４】
前記第２段階は、
ピクセル別にＲ、Ｇ及びＢのカラー値を計算するか、又はイメージ全体のＲ、Ｇ及びＢのカラー値を計算することを特徴とする請求項１３項記載のイメージ変換方法。
【請求項１５】
前記第３段階は、
前記比重の大きいカラーに他のカラーよりも１ビットを更に割当てて６ビットを生成し、他のカラーに夫々５ビットずつを割当てることを特徴とする請求項１３項記載のイメージ変換方法。
【請求項１６】
前記第３段階は、
Ｒ値の比重が大きい場合、各８ビットのＲ、Ｇ及びＢが１６ビットのＲＧＢに変換された後、最後に残った１ビットにＲを割当てることを特徴とする請求項１３項記載のイメージ変換方法。
【請求項１７】
前記第３段階は、
Ｇ値の比重が大きい場合、各８ビットのＲ、Ｇ及びＢが１６ビットのＲＧＢに変換された後、最後に残った１ビットにＧを割当てることを特徴とする請求項１３項記載のイメージ変換方法。
【請求項１８】
前記第３段階は、
Ｂ値の比重が大きい場合、各８ビットのＲ、Ｇ及びＢが１６ビットのＲＧＢに変換された後、最後に残った１ビットにＢを割当てることを特徴とする請求項１３項記載のイメージ変換方法。
【発明の詳細な説明】
【技術分野】
【０００１】
本発明は、２４ビットイメージを１６ビットイメージに変換するイメージ変換技術に係るもので、詳しくは、イメージ変換時にカラー情報の損失を最小化することで、１６ビットイメージを実際のイメージに近く移動通信端末機にディスプレーするイメージ変換装置及びその方法に関するものである。
【背景技術】
【０００２】
従来、カラーイメージに対して一つの点が有するカラー値を計算する場合、８ビットイメージにおいては、カラー情報を表すパレット（ｐａｌｌｅｔ）があるため、任意の点に関するインデックス値のみを知っていると、前記パレットからＲＧＢ値を容易に読み出すことができた。
【０００３】
然し、１６ビットイメージにおいては、８ビットイメージとは異なって、２バイトで表現され、点自体がカラー情報を有するため、パレットの概念が必要することなく、計算によってＲＧＢ値を求めなければならない。このとき、ＲＧＢ値を計算する方法は、イメージ変換方式によって異なる。
【０００４】
又、２４ビットイメージを移動通信端末機に支援される１６ビットイメージに割当てる場合、前記２４ビットイメージのＲＧＢ要素を前記１６ビットイメージに均等に割当てるため、前記２４ビットイメージを’３’で割る。よって、前記１６ビットイメージにはＲＧＢ要素が夫々５ビットずつ割当てられ、最後に１ビットが残る。
【０００５】
このように２４ビットイメージを１６ビットに変換する従来の１６ビットカラー表現方式を、５：５：５方式と５：６：５方式とに分けて説明する。
【０００６】
（１）従来の５：５：５方式の１６ビットカラー表現方式においては、図５に示されたように、各８ビットのＲ、Ｇ及びＢを１６ビットのＲＧＢに変換する場合、Ｒ、Ｇ及びＢが夫々５ビットずつ割当てられ、１６ビットのうち残りの１ビットは使用されない。即ち、各シフター（１１１〜１１３）に夫々保存された８ビットのＲ、Ｇ及びＢが５ビットずつメモリー（１１４）に保存され、残った１ビットは使用されない。
【０００７】
以下、このような５：５：５方式のカラー計算過程をより詳細に説明する。
【０００８】
所望のカラーの３要素をＲ、Ｇ及びＢとすると、前記５：５：５方式で表現し得る各ＲＧＢ要素は夫々５ビットであるため、３ビットの損失が伴う。これを数式で表現すると、Ｒ１６＝Ｒ／８、Ｇ１６＝Ｇ／８及びＢ／１６＝Ｂ／８である。
【０００９】
このように１６ビットのカラー要素が計算された後、１６ビットのＲＧＢに組合せる場合、前記シフターに保存されているＲは３ビット右側にシフトされた後左側に１０ビットシフトされ、Ｇは３ビット右側にシフトされた後左側に５ビットシフトされ、Ｂは右側に３ビットシフトされることで１６ビットのＲＧＢに組合せられる。
【００１０】
（２）従来の５：６：５方式の１６ビットカラー表現方式においては、図６に示されたように、まず、各８ビットのＲ、Ｇ及びＢを１６ビットのＲＧＢに変換する場合、Ｒ、Ｇ及びＢが夫々５ビットずつ割当てられ、残った１ビットにＧが割当てられる。これは、人の目が緑を区分し易いという事実を利用してＧに６ビットを割当てることである。
【００１１】
以下、このような５：６：５方式のカラー計算過程を説明する。
【００１２】
前記５：６：５方式が前記５：５：５方式と異なる点は、Ｒ及びＢは３ビットが損失され、Ｇは２ビットが損失され、ＲとＢとはスタートビットが相異であるということである。即ち、所望のカラーの３要素をＲＧＢとすると、５：６：５方式で表現し得るＲ及びＢ要素は夫々５ビット、Ｇ要素は６ビットである。
【００１３】
これを数式で表現すると、Ｒ１６＝Ｒ／８、Ｇ１６＝Ｇ／４及びＢ１６＝Ｂ／８である。
【００１４】
このように１６ビットのカラー要素が計算された後、１６ビットのＲＧＢに組合せる場合、８ビットのＲは右側に３ビットシフトされた後左側に１０ビットシフトされ、８ビットのＧは右側に２ビットシフトされた後左側に５ビットシフトされ、８ビットのＢは右側に３ビットシフトされることで１６ビットのＲＧＢに組合せられる。
【特許文献１】特開平１１−１７５６９３号公報
【特許文献２】米国特許第５８６４３４５号明細書
【特許文献３】米国特許第５７３４３６９号明細書
【特許文献４】米国特許第６３８４８３８号明細書
【特許文献５】米国特許第５９３３１３１号明細書
【特許文献６】米国特許第６６２４８２２号明細書
【特許文献７】韓国特許出願公開第２００２−０２５４７１号明細書
【特許文献８】韓国特許出願公開第１９９８−０３３８１５号明細書
【発明の開示】
【発明が解決しようとする課題】
【００１５】
然るに、このような従来の１６ビットカラー表現方式においては、（１）項記載の５：５：５方式の場合は、１ビットを費やすため全体的に実際のイメージのカラー情報が多量損失され、（２）項記載の５：６：５方式の場合は、Ｇに１ビットが更に割当てられるため、実際のカラーに比べてＧがより強調されて、全体的にＧに近いイメージに変換されるという不都合な点があった。
【００１６】
本発明は、このような従来の課題に鑑みてなされたもので、本発明に係るイメージ変換装置においては、２４ビットのＲＧＢイメージデータを移動通信端末機にディスプレーするために１６ビットのイメージデータに変換する場合、ＲＧＢのうち最も比重の大きいカラーを判別し、該当のカラーに１ビットを更に割当てることでカラー情報の損失を最小化して、１６ビットイメージを実際のイメージに近く移動通信端末機に表示することを目的とする。
【課題を解決するための手段】
【００１７】
このような目的を達成するため、本発明に係るイメージ変換装置においては、２４ビットのカラーイメージを８ビットに構成された各Ｒ、Ｇ及びＢ値に分離するＲＧＢ分離部と、それら分離された８ビットのＲ、Ｇ及びＢの各カラー値を計算して比重の大きいカラーを判別する比較部と、該比重の大きいカラーに該当のカラービットを更に割当てるために８ビットのＲ、Ｇ及びＢを夫々シフトさせるシフト部と、それら割当てられたＲ、Ｇ及びＢを結合して１６ビットイメージを生成する結合部と、該生成された１６ビットイメージを保存するビデオメモリと、を包含して構成されることを特徴とする。
【００１８】
又、本発明に係るイメージ変換方法においては、各Ｒ、Ｇ及びＢを分離する第１段階と、それらＲ、Ｇ及びＢ要素の各カラー値を計算する第２段階と、それら計算された各カラー値を比較して比重の大きいカラーを判別する第３段階と、該判別された比重の大きいカラーに他のカラーよりも多くビットを更に割当てる第４段階と、それら割当てられた各Ｒ、Ｇ及びＢを組合する第５段階と、を順次行うことを特徴とする。
【００１９】
本発明のイメージ変換装置は、２４ビットのカラーイメージを８ビットに構成されたＲ、Ｇ及びＢ値に夫々分離するＲＧＢ分離部と、それら分離された８ビットのＲ、Ｇ及びＢの各カラー値を計算して比重の大きいカラーを判別する比較部と、前記比重の大きいカラーに該当するカラービットを更に割当てるために８ビットのＲ、Ｇ及びＢを夫々シフトさせるシフト部と、それらシフトされた各Ｒ、Ｇ及びＢを結合して１６ビットイメージを生成する結合部と、該生成された１６ビットイメージを保存するビデオメモリと、を包含して構成されることを特徴とし、これにより上記目的を達成する。
【００２０】
前記シフト部は、比重の大きいカラーに１ビットを更に割当てて６ビットを生成することを特徴としてもよい。
【００２１】
前記シフト部は、比重が相対的に小さい二つのカラーに夫々５ビットずつ割当てることを特徴としてもよい。
【００２２】
前記シフト部は、Ｒ値の比重が大きい場合、各８ビットのＲ、Ｇ及びＢが１６ビットのＲＧＢに変換された後、最後に残った１ビットにＲを割当てることを特徴としてもよい。
【００２３】
前記シフト部は、８ビットのＲを右側に２ビットシフトした後左側に１０ビットシフトし、８ビットのＧを右側に３ビットシフトした後左側に５ビットシフトし、８ビットのＢを右側に３ビットシフトすることで、１６ビットのＲＧＢを組合せる過程を行うことを特徴としてもよい。
【００２４】
前記シフト部は、前記１６ビットのＲＧＢを組合せる過程を行うことで、最終的に６：５：５の比率を有するＲＧＢイメージを生成することを特徴としてもよい。
【００２５】
前記シフト部は、Ｇ値の比重が大きい場合、各８ビットのＲ、Ｇ及びＢが１６ビットのＲＧＢに変換された後、最後に残った１ビットにＧを割当てることを特徴としてもよい。
【００２６】
前記シフト部は、８ビットのＲを右側に３ビットシフトした後左側に１１ビットシフトし、８ビットのＧを右側に２ビットシフトした後左側に５ビットシフトし、８ビットのＢを右側に３ビットシフトすることで、１６ビットのＲＧＢを組合せる過程を行うことを特徴としてもよい。
【００２７】
前記シフト部は、前記１６ビットのＲＧＢを組合せる過程を行うことで、最終的に５：６：５の比率を有するＲＧＢイメージを生成することを特徴としてもよい。
【００２８】
前記シフト部は、Ｂ値の比重が大きい場合、各８ビットのＲ、Ｇ及びＢが１６ビットのＲＧＢに変換された後、最後に残った１ビットにＢを割当てることを特徴としてもよい。
【００２９】
前記シフト部は、８ビットのＲを右側に３ビットシフトした後左側に１１ビットシフトし、８ビットのＧを右側に３ビットシフトした後左側に６ビットシフトし、８ビットのＢを右側に２ビットシフトすることで、１６ビットのＲＧＢを組合せる過程を行うことを特徴としてもよい。
【００３０】
前記シフト部は、前記１６ビットのＲＧＢを組合せる過程を行うことで、最終的に５：５：６の比率を有するＲＧＢイメージを生成することを特徴としてもよい。
【００３１】
本発明のイメージ変換方法は、カラーイメージから各Ｒ、Ｇ及びＢ要素を分離する第１段階と、それらＲ、Ｇ及びＢ要素の各カラー値を計算した後、それらカラー値を比較して比重の大きいカラーを判別する第２段階と、該判別された比重の大きいカラーに、他のカラーよりも多くビットを更に割当てる第３段階と、それらビットが割当てられた各Ｒ、Ｇ及びＢを組合する第４段階と、を順次行うことを特徴とし、これにより上記目的を達成する。
【００３２】
前記第２段階は、ピクセル別にＲ、Ｇ及びＢのカラー値を計算するか、又はイメージ全体のＲ、Ｇ及びＢのカラー値を計算することを特徴としてもよい。
【００３３】
前記第３段階は、前記比重の大きいカラーに他のカラーよりも１ビットを更に割当てて６ビットを生成し、他のカラーに夫々５ビットずつを割当てることを特徴としてもよい。
【００３４】
前記第３段階は、Ｒ値の比重が大きい場合、各８ビットのＲ、Ｇ及びＢが１６ビットのＲＧＢに変換された後、最後に残った１ビットにＲを割当てることを特徴としてもよい。
【００３５】
前記第３段階は、Ｇ値の比重が大きい場合、各８ビットのＲ、Ｇ及びＢが１６ビットのＲＧＢに変換された後、最後に残った１ビットにＧを割当てることを特徴としてもよい。
【００３６】
前記第３段階は、Ｂ値の比重が大きい場合、各８ビットのＲ、Ｇ及びＢが１６ビットのＲＧＢに変換された後、最後に残った１ビットにＢを割当てることを特徴としてもよい。
【発明の効果】
【００３７】
本発明に係るイメージ変換装置及びその方法においては、２４ビットイメージを１６ビットイメージに変換する場合、比重の大きいカラーに該当するカラービットを更に割当てることで、従来の５：５：５方式及び５：６：５方式の不都合な点を改善して、移動通信端末機に実際のイメージに一層近い１６ビットイメージをディスプレーし得るという効果がある。
【００３８】
従って、本発明は、１６ビットのカラーをディスプレーする移動通信端末機等に適用する場合、使用者により鮮明な映像を提供し得るという効果がある。
【発明を実施するための最良の形態】
【００３９】
以下、本発明の実施の形態に対し、図面に基づいて説明する。
【００４０】
図１は、本発明に係るイメージ変換装置の一実施の形態を示したブロック図で、図示されたように、本発明に係るイメージ変換装置においては、２４ビットのカラーイメージを８ビットに構成された各Ｒ、Ｇ及びＢ値に分離するＲＧＢ分離部３１０と、それら分離された８ビットのＲ、Ｇ及びＢの各カラー値を計算して比重の大きいカラーを判別する比較部３２０と、該比重の大きいカラーに該当のカラービットを更に割当てるために８ビットのＲ、Ｇ及びＢを夫々シフトさせるシフト部３３０と、それらシフトされた各Ｒ、Ｇ及びＢを結合して１６ビットイメージを生成する結合部３４０と、該生成された１６ビットイメージを保存するビデオメモリ３５０とから構成されている。
【００４１】
以下、このように構成された本発明に係るイメージ変換装置の動作原理について説明する。
【００４２】
まず、前記ＲＧＢ分離部３１０は、外部から入力された２４ビットのカラーイメージを８ビットに構成されたＲ、Ｇ及びＢ値に分離する。
【００４３】
次いで、前記比較部３２０は、それら分離された８ビットのＲ、Ｇ及びＢ要素の各カラー値を計算して比重の最も大きいカラーを判別する。
【００４４】
その後、前記シフト部３３０は、前記判別結果によって、比重の最も大きいカラーに１ビットを更に割当てて６ビットを、残りの二つのカラーに５ビットずつを夫々割当てるため、８ビットのＲ、Ｇ及びＢを夫々シフトさせる。次いで、前記結合部３４０は、それらシフトされた各Ｒ、Ｇ及びＢを結合して１６ビットイメージを生成する。このとき、該１６ビットイメージは、比重の最も大きいカラーに１ビットが更に割当てられた６ビットと、残りの二つのカラーに夫々割当てられた５ビットとから構成される。
【００４５】
その後、前記生成された１６ビットイメージは、前記ビデオメモリ３５０に保存され、ディスプレー装置（図示せず）に伝送されることで、実際のイメージに近い映像がディスプレーされる。
【００４６】
以下、比重の最も大きいカラーが判別された後、該比重の最も大きいカラーに１ビットを更に割当てることで１６ビットイメージを生成する過程について説明する。
【００４７】
まず、８ビットに構成されたＲの比重が最も大きい場合について説明する。
【００４８】
図２は、Ｒの比重が最も大きい場合のイメージ変換過程を示した図で、図示されたように、Ｒ値が比重の大きい場合は、各８ビットのＲ、Ｇ及びＢが１６ビットのＲＧＢに変換された後、最後に残った１ビットにＲが割当てられる。
【００４９】
これを数式で表現すると、Ｒ１６＝Ｒ／４、Ｇ１６＝Ｇ／８及びＢ１６＝Ｂ／８である。
【００５０】
このように１６ビットのカラー要素が計算された後、１６ビットのＲＧＢが組合せられる過程は、Ｒが右側に２ビットシフトされた後左側に１０ビットシフトされることで６ビットになり、Ｇが右側に３ビットシフトされた後左側に５ビットシフトされることで５ビットになり、Ｂが右側に３ビットシフトされることで５ビットになる一連の過程を通して行われる。
【００５１】
次いで、８ビットに構成されたＧの比重が最も大きい場合について説明する。
【００５２】
図３は、Ｇの比重が最も大きい場合のイメージ変換過程を示した図で、図示されたように、Ｇ値の比重が大きい場合は、各８ビットのＲ、Ｇ及びＢが１６ビットのＲＧＢに変換された後、最後に残った１ビットにＧが割当てられる。
【００５３】
これを数式で表現すると、Ｒ１６＝Ｒ／８、Ｇ１６＝Ｇ／４及びＢ１６＝Ｂ／８である。
【００５４】
このように１６ビットのカラー要素が計算された後、１６ビットのＲＧＢが組合せられる過程は、Ｒが右側に３ビットシフトされた後左側に１１ビットシフトされることで５ビットになり、Ｇが右側に２ビットシフトされた後左側に５ビットシフトされることで６ビットになり、Ｂが右側に３ビットシフトされることで５ビットになる一連の過程を通して行われる。
【００５５】
次いで、８ビットに構成されたＢの比重が最も大きい場合について説明する。
【００５６】
図４は、Ｂの比重が最も大きい場合のイメージ変換過程を示した図で、図示されたように、Ｂ値の比重が大きい場合は、各８ビットのＲ、Ｇ及びＢが１６ビットのＲＧＢに変換された後、最後に残った１ビットにＢが割当てられる。
【００５７】
これを数式で表現すると、Ｒ１６＝Ｒ／８、Ｇ１６＝Ｇ／８及びＢ１６＝Ｂ／４である。
【００５８】
このように１６ビットのカラー要素が計算された後、１６ビットのＲＧＢが組合せられる過程は、Ｒが右側に３ビットシフトされた後左側に１１ビットシフトされることで５ビットになり、Ｇが右側に３ビットシフトされた後左側に６ビットシフトされることで５ビットになり、Ｂが右側に２ビットシフトされることで６ビットになる一連の過程を通して行われる。
【００５９】
ここで、前記１６ビットのＲＧＢが組合せられる過程は、全て前記シフト部３３０により行われ、最終的に生成された１６ビットのＲＧＢイメージは、前記ビデオメモリ３５０に保存される。
【００６０】
その後、前記１６ビットのＲＧＢは、エルシーディー（ＬＤＣ）等のディスプレー装置に伝送されることで、実際のイメージに近い映像にディスプレーされる。
【００６１】
即ち、本発明は、従来の５：６：５方式を改善したもので、カラー値を計算する場合、実際のイメージに該当するＲＧＢ値を比較して最も比重の大きいカラーに６ビットを割当てる方式を利用するものである。
【００６２】
又、本発明は、各カラー値のＲＧＢ値を比較して最も大きい値によって夫々変換される方式を異なるようにし、又はイメージ全体のＲＧＢ値を全て計算して最も大きい値によって全てのカラーデータを変換する方式を同時に使用することができる。
【００６３】
以上説明したように、本発明に係るイメージ変換装置及びその方法においては、２４ビットイメージを１６ビットイメージに変換する場合、比重の大きいカラーに該当するカラービットを更に割当てることで、従来の５：５：５方式及び５：６：５方式の不都合な点を改善して、移動通信端末機に実際のイメージに一層近い１６ビットイメージをディスプレーし得るという効果がある。
【００６４】
従って、本発明は、１６ビットのカラーをディスプレーする移動通信端末機等に適用する場合、使用者により鮮明な映像を提供し得るという効果がある。
【００６５】
２４ビットのＲＧＢイメージデータを移動通信端末機にディスプレーするために１６ビットのイメージデータに変換する場合、ＲＧＢ中最も比重の大きいカラーを判別し、該当のカラーに１ビットを更に割当てることでカラー情報の損失を最小化して、１６ビットイメージを実際のイメージに一層近く移動通信端末機に表示し得るイメージ変換装置及びその方法を提供しようとする。
【００６６】
２４ビットのカラーイメージを８ビットに構成された各Ｒ、Ｇ及びＢ値に分離するＲＧＢ分離部３１０と、それら分離された８ビットのＲ、Ｇ及びＢの各カラー値を計算して比重の大きいカラーを判別する比較部３２０と、該比重の大きいカラーに該当するカラービットを更に割当てるために８ビットのＲ、Ｇ及びＢを夫々シフトさせるシフト部３３０と、それらシフトされた各Ｒ、Ｇ及びＢを結合して１６ビットイメージを生成する結合部３４０と、該生成された１６ビットイメージを保存するビデオメモリ３５０と、を包含してイメージ変換装置を構成する。
【００６７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６８】
【図１】本発明に係るイメージ変換装置の一実施形態を示したブロック図である。
【図２】本発明に係るイメージ変換過程としてＲの比重が最も大きい場合を示した図である。
【図３】本発明に係るイメージ変換過程としてＧの比重が最も大きい場合を示した図である。
【図４】本発明に係るイメージ変換過程としてＢの比重が最も大きい場合を示した図である。
【図５】従来の５：５：５方式のイメージ変換過程を示した図である。
【図６】従来の５：６：５方式のイメージ変換過程を示した図である。
【符号の説明】
【００６９】
３１０：ＲＧＢ分離部
３２０：比較部
３３０：シフト部
３４０：結合部
３５０：ビデオメモリ
【図１】
2004194300.tif 000003
【図２】
2004194300.tif 000004
【図３】
2004194300.tif 000005
【図４】
2004194300.tif 000006
【図５】
2004194300.tif 000007
【図６】
2004194300.tif 000008